(57)【要約】【課題】  画像を画面に表示する際、主画像から表示用の画像を作成すると、画像を表示するまでに長い時間がかかってしまうという問題があった。【解決手段】  画像を画面に表示する際、サムネイルがあった場合は、その時点で画像データの取得を中止し、サムネイルから表示用の画像を作成し、サムネイルがなかった場合のみ主画像から表示用の画像を作成する。【選択図】図５
2007011129.tif 000002
【特許請求の範囲】
【請求項１】
画像データを表示させることができる装置であって、
前記画像データをメモリカードから取得するためのカードインタフェイスと、
前記メモリカードから取得した前記画像データを、表示サイズの画像へ加工を行う画像処理部とを持ち、
前記メモリカードから取得した前記画像データを前記表示サイズの画像へ変換する際に、前記画像データを解析し、解析途中でサムネイル画像を発見した場合には解析を中止して、前記サムネイル画像を使用して前記表示サイズの画像を作成し、前記サムネイル画像が発見できなかった場合に主画像を使用して前記表示サイズの画像を作成することを特徴とする画像データ表示装置。
【請求項２】
画像データを表示させることができる装置における表示方法であって、
前記画像データをメモリカードから取得するためのカードインタフェイスと、
前記メモリカードから前記画像データを取得する取得工程と、
前記取得工程において取得した画像データの表示サイズを加工する画像処理工程と、
前記画像処理工程で表示サイズを加工する際に、画像データを解析する解析工程とを有し、
前記解析工程で画像データを解析した結果、解析途中でサムネイル画像を発見した場合は、前記解析工程による解析処理を中止し、前記画像処理工程で前記サムネイル画像を使用して前記表示サイズの画像を作成し、前記サムネイル画像が発見できなかった場合には前記画像処理工程において主画像を使用して前記表示サイズの画像を作製することを特徴とする画像データ表示方法。
【発明の詳細な説明】
【技術分野】
【０００１】
本発明は、画像データを添付したメールを送信可能な通信端末における、画像処理時間の削減方法に関する。
【背景技術】
【０００２】
近年、家庭用の固定電話の高機能化により、音声通話やファクシミリ送受信の他に、メールの送受信ができる端末も出現してきている。また、通信端末によっては、カメラ付きのものや、メモリカードとのインタフェイスを持つものもあり、メールを使用してカメラで撮影したデジタル写真や、メモリカード内の画像データを添付して送受信することも可能となっている。
【０００３】
画像データを表示可能な通信端末であり、表示サイズが画像データに含まれたサムネイルのサイズよりも小さい場合はサムネイルを縮小して表示し、大きい場合は主画像を縮小して表示することで、表示画質の劣化を防止することができる（例えば、特許文献１参照）。
【特許文献１】特開２００４−２３５８０４
【発明の開示】
【発明が解決しようとする課題】
【０００４】
ファクシミリなどの表示能力とＣＰＵは、ＰＣなどのものと違って、それほど高くなく、高精細な表示が求められていない上に、画像処理を行うための能力も不足がちになっている。また、デジタルカメラなどの撮影画素数は増加されてきており、それに連れて画像データのサイズも増加してきている。画像データのサイズが大きくなった場合、主画像を加工するには長時間かかってしまうというという問題があった。
【０００５】
また、デジタルカメラによっては、最初にサムネイルから表示用の画像を作成し、その後、主画像から表示用の画像を作成して、画像を差し替えるものがある。この場合、デジタルカメラで撮影された画像データの入ったメモリカードを、違うデジタルカメラに挿入して、先ほどの画像データを表示させようとした際、サムネイルの位置が違うことが原因で、最初のサムネイル画像を表示できないことがあるという問題があった。
【０００６】
本発明では斯かる問題点を鑑みてなされたものであり、画像を表示する際、画像データに含まれるサムネイルを利用し、画像を解析している途中でサムネイルを発見した場合は、その時点で画像データの解析を中止し、サムネイルから表示用の画像を作成し、サムネイルを発見できなかった場合のみ主画像から表示用の画像を作成することで画像表示にかかる時間が短い端末を提供する点である。
【０００７】
また、画像データ内にサムネイルがあれば、その配置場所に係わらずサムネイルを発見できるため、確実に短い時間で画像を表示することが可能である端末を提供する点である。
【課題を解決するための手段】
【０００８】
上記目的を達成するため、本発明に係わる画像データを表示させることができる装置は、前記画像データをメモリカードから取得するためのカードインタフェイスと、前記メモリカードから取得した前記画像データを、表示サイズの画像へ加工を行う画像処理部とを持ち、前記メモリカードから取得した前記画像データを前記表示サイズの画像へ変換する際に、前記画像データを解析し、解析途中でサムネイル画像を発見した場合には解析を中止して、前記サムネイル画像を使用して前記表示サイズの画像を作成し、前記サムネイル画像が発見できなかった場合に主画像を使用して前記表示サイズの画像を作成する。
【発明の効果】
【０００９】
以上説明したように、本実施形態によれば、画像を表示する際、画像データに含まれるサムネイルを利用し、画像を解析している途中でサムネイルを発見した場合は、その時点で画像データの解析を中止し、サムネイルから表示用の画像を作成し、サムネイルを発見できなかった場合のみ主画像から表示用の画像を作成することで画像表示にかかる時間を短縮するという効果がある。
デジタルカメラの撮影画素数が増加し、扱う画像データのサイズが増加した場合、今よりも更にこの効果は明確になる。
【発明を実施するための最良の形態】
【００１０】
（実施例）
図１は、本発明の実施形態に係わる通信端末の構成図である。
【００１１】
図１において、通信端末１００は、端末の動作の制御を行うためのＣＰＵ１０１と、
プログラムコードなどを格納したＲＯＭ１０２と、
データを消えないようにバックアップして保存するために使用される不揮発性のメモリであるＦＬＡＳＨ１０３と、
画像処理を行う際のワーク領域などに使用される揮発性のメモリであるＲＡＭ１０４と、
キーやタッチパネルなどからのユーザ操作を受け付ける操作部１０５と、
通信回線２００と接続され、通信回線２００と通信を行う回線制御部１０６と、
ユーザに端末の状態などを伝えるための表示を行う表示部１０７と、
画像データの圧縮・伸長などを行う画像処理部１０８と、
メモリカード４００と接続され、メモリカード４００内のデータを通信端末１００内で扱うためのカードインタフェイス１０９と、などからなる。
【００１２】
通信回線２００はＬモードサーバ３００とも接続されており、通信端末１００は通信回線２００を通して、Ｌモードサーバ３００と通信を行う。
【００１３】
図２は、ＦＬＡＳＨ１０３に格納された送信メールファイルの詳細である。送信メールファイルは、送信メールを管理する送信メール管理部５００と、送信メールの実体を記憶する送信メール本体部５１０よりなる。送信メール管理部５００には、送信メールの宛先５０１、題名５０２、送信または保存日時５０３、送信したかどうかの状態５０４、添付ファイルがあったかどうかの状態５０５などが、各送信メール毎に記録されており、ここから送信メール本体部５１０のメールデータ５１１、５１２、５１３に関連付けられている。添付ファイルは保存されず、添付ファイル付きのメールは未送信の状態では保存することはできない。
【００１４】
図３は本発明の実施携帯に係わるＪＰＥＧの構成図である。
【００１５】
ＪＰＥＧは、データのスタートを意味するＳＯＩ（Ｓｔａｒｔ  ｏｆ  Ｉｍａｇｅ）６１０、Ｅｘｉｆ情報やサムネイルを含むアプリケーション・マーカセグメントＡＰＰ６２０、量子化テーブルを定義した量子化テーブル定義ＤＱＴ（Ｄｅｆｉｎｅ  Ｑｕａｎｔｉｚａｔｉｏｎ  Ｔａｂｌｅ）６３０、ハフマンテーブル定義ＤＨＴ（Ｄｅｆｉｎｅ  Ｈｕｆｆｍａｎ  Ｔａｂｌｅ）６４０、フレームの始まりに位置し、そのフレームに関する各種パラメータを示すフレームヘッダＳＯＦ（Ｓｔａｒｔ  ｏｆ  Ｆｒａｍｅ）６５０、スキャンに関する各種パラメータを表すスキャンヘッダＳＯＳ（Ｓｔａｒｔ  ｏｆ  Ｓｃａｎ）６６０、ＹＣｂＣｒで圧縮されたＪＰＥＧデータ６７０、データの終わりを意味するＥＯＩ（Ｅｎｄ  ｏｆ  Ｉｍａｇｅ）６８０から構成される。
【００１６】
アプリケーション・マーカセグメントはＳＯＩ６１０の直後に置かれ、複数個連続で使用することができる。ＤＱＴ６３０、ＤＨＴ６４０、ＳＯＦ６５０の順は自由に入れ替えすることができる。圧縮データ６７０とＥＯＩ６８０以外をＪＰＥＧのヘッダ、ＥＯＩ６８０をフッダと呼ぶ。
【００１７】
ＡＰＰ６２０は、ＡＰＰ６２０のスタートを意味するＡＰＰ  Ｍａｒｋｅｒ６２１、ＡＰＰ６２０のレングス６２２、Ｅｘｉｆ識別コード６２３、ＴＩＦＦ  Ｈｅａｄｅｒ６２４、ファイルの情報を記述するＩＦＤ（Ｉｍａｇｅ  ｆｉｌｅ  ｄｉｒｅｃｔｏｒｙ）のうち最初に記載されている０ｔｈ  ＩＦＤ６２５、Ｅｘｉｆの情報を記述する  Ｅｘｉｆ  ＩＦＤ６２６、二番目に記載されているＩＤＦである１ｔｈ  ＩＦＤ６２７、ＪＰＥＧのサムネイル６２８から構成される。
【００１８】
０ｔｈ  ＩＦＤ６２５には、画像の幅６２５１、画像の幅の解像度６２５２などの情報が、タグを使用して記載されている。各種タグには必須の情報とオプションの情報があり、撮影されたデジタルカメラの種類の違いなどにより、その中身は変わっている。１ｔｈ  ＩＦＤ６２７も同様の構造となっている。
【００１９】
Ｅｘｉｆ  ＩＦＤ６２６には、Ｅｘｉｆバージョン６２６１、露出時間６２６２などの情報が、タグを使用して記載されている。各種タグには必須の情報とオプションの情報があり、撮影されたデジタルカメラの種類の違いなどにより、その中身は変わっている。
【００２０】
ＪＰＥＧサムネイル６２８は、サムネイルデータのスタートを意味するＳＯＩ６２８１、量子化テーブルを定義した量子化テーブル定義ＤＱＴ６２８２、ハフマンテーブル定義ＤＨＴ６２８３、フレームの始まりに位置し、そのフレームに関する各種パラメータを示すフレームヘッダＳＯＦ６２８４、スキャンに関する各種パラメータを表すスキャンヘッダＳＯＳ６２８５、ＹＣｂＣｒで圧縮されたＪＰＥＧデータ６２８６、データの終わりを意味するＥＯＩ６２８７から構成される。
【００２１】
図４は本発明の実施形態に係わる画像データ表示順の仕様に関する詳細図である。
【００２２】
メモリカード４００内には、画像データが格納されており、通信端末１００は、メモリカード４００からカードインタフェイス１０９を通して画像一覧情報を獲得し、画像一覧情報を元に画像データをソートし、順に表示部１０７に画像を表示させる。本発明の実施形態では、メモリカード４００内の画像データを６枚ずつ表示させ、表示内容のスクロールが発生すると、次の６枚を表示する。スクロールした先の画像データが６枚に満たない場合は、スクロール先の全ての画像を表示し、６枚に足らない領域には何も表示しない。
【００２３】
図５は本発明の実施形態に係わるフローチャートである。
【００２４】
ユーザにより、操作部１０５からメモリカード４００内の画像データを表示部１０７に表示するように操作されると（Ｓ０１）、カードインタフェイス１０９を通してメモリカード４００内の画像データに関する情報を取得する（Ｓ０２）。メモリカード４００内に画像データが一枚も無い場合は（Ｓ０３）、その旨の警告文を表示し、メモリカード４００内の画像データ表示が選択される前の状態に戻る。
【００２５】
メモリカード４００内に画像がある場合は（Ｓ０３）、表示させるための画像データを取得する。表示部１０７に、新しい画像を追加で表示できる領域があり、且つ、メモリカード４００内に、まだ表示させていない表示させるための画像がある場合（Ｓ０４）、カードインタフェイス１０９を通して、メモリカード４００から次に表示させる画像データの一部を取得し、取得した画像データの中身をチェックする（Ｓ０５）。取得した画像データの中にサムネイル６２８を発見した場合（Ｓ０６）、メモリカード４００から、画像データのうちサムネイル６２８を取得し終えた時点で、サムネイル６２８を用いて表示画像を作成し（Ｓ０７）、画像を表示する（Ｓ０８）。このとき、画像データの取得は終了させする。
【００２６】
画像データの一部を取得し、取得した画像データの中身をチェックしたとき（Ｓ０５）、取得した画像データの中にサムネイル６２８を発見できなかった場合（Ｓ０６）、画像データを全て取得していなければ（Ｓ０９）、先ほど取得した画像データの、次の一部を取得する（Ｓ０５）。
【００２７】
画像データを部分的に取得し続け（Ｓ０５）、その中にサムネイル６２８を発見することなく（Ｓ０６）、画像データを全て取得し終えてしまった場合は（Ｓ０９）、画像ファイルの中にサムネイル６２８が無いため、主画像６７０を用いて表示画像を作成し（Ｓ１０）、画像を表示する（Ｓ０８）。
【００２８】
メモリカード４００内の画像データ取得は、表示部１０７に表示させる領域全てに、画像を表示するか、または、メモリカード４００内の表示すべき画像を全て表示し終えた場合（Ｓ０４）、表示処理を完了する。
【図面の簡単な説明】
【００２９】
【図１】本発明の実施形態に係わる通信端末の構成図
【図２】送信メールファイルの詳細図
【図３】ＪＰＥＧの構成図
【図４】画像データ表示順の仕様に関する詳細図
【図５】本発明の実施形態に係わるフローチャート
【符号の説明】
【００３０】
１００  通信端末
１０１  ＣＰＵ
１０２  ＲＯＭ
１０３  ＦＬＡＳＨ
１０４  ＲＡＭ
１０５  操作部
１０６  回線制御部
１０７  表示部
１０８  画像処理部
１０９  カードインタフェイス
２００  通信回線
３００  Ｌモードサーバ
４００  メモリカード
５００  送信メール管理部
５０１  送信メールの宛先
５０２  送信メールの題名
５０３  送信メールの送信または保存日時
５０４  送信したかどうかの状態
５０５  添付ファイルがあったかどうかの状態
５１０  受信メール本体部
５１１、５１２、５１３  メールデータ
６１０  ＳＯＩ
６２０  ＡＰＰ
６３０  ＤＱＴ
６４０  ＤＨＴ
６５０  ＳＯＦ
６６０  ＳＯＳ
６７０  圧縮データ
６８０  ＥＯＩ
６２１  ＡＰＰ  Ｍａｒｋｅｒ
６２２  ＡＰＰ  Ｌｅｎｇｔｈ
６２３  Ｅｘｉｆ識別コード
６２４  ＴＩＦＦ  Ｈｅａｄｅｒ
６２５  ０ｔｈ  ＩＦＤ
６２６  Ｅｘｉｆ  ＩＦＤ
６２７  １ｔｈ  ＩＦＤ
６２８  ＪＰＥＧサムネイル
６２５１、６２５２  ０ｔｈ  ＩＦＤの構成タグ
６２６１、６２６２  １ｔｈ  ＩＦＤの構成タグ
６２８１  ＪＰＥＧサムネイルのＳＯＩ
６２８２  ＪＰＥＧサムネイルのＤＱＴ
６２８３  ＪＰＥＧサムネイルのＤＨＴ
６２８４  ＪＰＥＧサムネイルのＳＯＦ
６２８５  ＪＰＥＧサムネイルのＳＯＳ
６２８６  ＪＰＥＧサムネイルの圧縮データ
６２８７  ＪＰＥＧサムネイルのＥＯＩ
Ｓ０１〜Ｓ１０  処理ステップ
【図１】
2007011129.tif 000003
【図２】
2007011129.tif 000004
【図３】
2007011129.tif 000005
【図４】
2007011129.tif 000006
【図５】
2007011129.tif 000007